(57)【要約】【課題】ユーザが安全に登ることができる上、コストを削減することができるハニカム状カプセルルームを提供する。【解決手段】  ハニカム状カプセルルーム２は、複数の第１カプセル室２１１を有する第１カプセルルーム２１と、第１のカプセルルーム２１上に積層されるように配置され、底部が第１カプセルルーム２１の第１カプセル室２１１の頂部より低い少なくとも１つの第２カプセル室２２１を有する１層以上の第２カプセルルーム２２とを備える。【選択図】図２
0003165250.tif 000002
【実用新案登録請求の範囲】
【請求項１】
複数の第１カプセル室を有する第１カプセルルームと、
前記第１カプセルルーム上に積層されるように配置され、底部が前記第１カプセルルームの前記第１カプセル室の頂部より低い少なくとも１つの第２カプセル室を有する１層以上の第２カプセルルームと、を備えてなることを特徴とするハニカム状カプセルルーム。
【請求項２】
前記第１カプセルルームの前記第１カプセル室及び前記第２カプセルルームの前記第２カプセル室は、半開放構造であり、
前記第２カプセルルームの前記第２カプセル室は、それぞれ、梯子及び手摺を有してなることを特徴とする請求項１に記載のハニカム状カプセルルーム。
【請求項３】
前記第１カプセルルームの前記第１カプセル室及び前記第２カプセルルームの前記第２カプセル室は、形状が幾何学的立体又は円筒体であることを特徴とする請求項２に記載のハニカム状カプセルルーム。
【考案の詳細な説明】
【技術分野】
【０００１】
本考案は、カプセルルームに関するものであり、さらに詳しくは、ハニカム状カプセルルームに関するものである。
【背景技術】
【０００２】
図１を参照する。図１に示すように、従来のカプセルホテルの構造は、限られた空間内になるべく多くのプライベート空間を形成するために、休息したり寝たりすることができる空間を有する構造の複数のカプセルルーム１１が、上下左右に積層状態になるように配置されている。
【０００３】
従来のかかるカプセルホテル１では、ユーザーは、梯子１２を用いて登った後、進入用踏み板１３を利用して横方向に移動すると、上層のカプセルルーム１１に入ることができる。
しかし、このような積層構造には、多くのデッドスペースが存在するため、省スペース化を達成することが困難な上、登る高さが高くて、安全性が低いという問題があった。
かかる状況下において、特許文献１によれば、カプセルルームのカーテン錠について提案されているが、複数のカプセルルームを構成することおよびその断面をハニカム状に形成するような点については開示がない。
【特許文献１】登録実用新案第３１４９２７９号公報
【考案の開示】
【考案が解決しようとする課題】
【０００４】
従って、本考案の主な課題は、ユーザーが安全に登ることができるカプセルルームを提供することにある。
【０００５】
本考案のもう一つの課題は、コストを削減することができるカプセルルームを提供することにある。
【課題を解決するための手段】
【０００６】
そこで、本考案者は、前記課題を解決するために、鋭意検討を重ねた結果、カプセルルームの配置をその断面をハニカム状に構成することにより、前記課題を解決できる点に着目し、かかる知見に基いて、本考案を想到するに至った。
【０００７】
かくして、本考案によれば、複数の第１カプセル室を有する第１カプセルルームと、
前記第１カプセルルーム上に積層されるように配置され、底部が前記第１カプセルルームの前記第１カプセル室の頂部より低い少なくとも１つの第２カプセル室を有する１層以上の第２カプセルルームと、
を備えることを特徴とするハニカム状カプセルルームが提供される。
【０００８】
前記第１カプセルルームの前記第１カプセル室及び前記第２カプセルルームの前記第２カプセル室は、半開放構造であり、前記第２カプセルルームの前記第２カプセル室のそれぞれは、梯子及び手摺を有することが好ましい。
【０００９】
前記第１カプセルルームの前記第１カプセル室及び前記第２カプセルルームの前記第２カプセル室は、形状が幾何学的立体又は円筒体であることが好ましい。
【考案の効果】
【００１０】
本考案のハニカム状カプセルルームは、前記の構造からなるものであり、ユーザーが安全に登ることができ、また、コストを削減することができるという著しく顕著な効果を奏することができる。
【図面の簡単な説明】
【００１１】
【図１】従来のカプセルホテルの構造を示す正面図である。
【図２】本考案の一実施形態によるハニカム状カプセルルームを示す正面図である。
【図３】本考案の一実施形態によるハニカム状カプセルルームの構造の断面を示す模式図である。
【考案を実施するための最良の形態】
【００１２】
以下、本考案の実施形態について図面に基づいて説明する。なお、これによって本考案が限定されるものではない。
【００１３】
本考案のハニカム状カプセルルームは、形状を幾何学的立体に形成したものであることから、デッドスペースが発生せず、空間を有効に利用することができる上、斜辺又は円弧点を利用し、互い違いに交互に積み重ねられているため、全体の高さが低くなり、省スペース化を達成することができる。また、本考案のハニカム状カプセルルームの断面形状は、本実施形態では正六角形であるが、この態様だけに限定されるわけではなく、本考案の目的を達成できる限りにおいて、その他様々な幾何学的形状を採用することができる。
【００１４】
図２を参照する。図２に示すように、本考案の一実施形態によるハニカム状カプセルルーム２は、第１カプセルルーム２１及び１層以上の第２カプセルルーム２２を含む。第１カプセルルーム２１は、複数の第１カプセル室２１１を含む。第２カプセルルーム２２は、少なくとも１つの第２カプセル室２２１を含む。第２カプセルルーム２２の第２カプセル室２２１は、それぞれ、第１カプセルルーム２１上で、下層の左右２つの第１カプセル室２１１間に積み重ねられるように配置されている。第２カプセルルーム２２の第２カプセル室２２１のそれぞれの底部は、第１カプセルルーム２１の第１カプセル室２１１のそれぞれの頂部より低く構成されている。カプセルルーム２１，２２の各カプセル室２１１，２２１は、形状が幾何学的立体又は円柱体の半開放構造である。第２カプセルルーム２２の第２カプセル室２２１のそれぞれは、梯子２２２及び手摺２２３を有する。そのため、ユーザーは、梯子２２２を用いて登った後、進入用踏み板２２４を利用して第２カプセル室２２１へ直接入ることができる。
図３を参照する。図３に示すように、本考案の一実施形態によるハニカム状カプセルルーム２は、幾何学的形状であるため、デッドスペース３が発生せず、空間を有効に利用することができる。また、本考案のハニカム状カプセルルーム２は、三角形の２辺の和が他の１辺より大きいという原則から、材料を節約することができる上、互い違いに交互に積層させるため、全体の高さが従来技術より低くなり、省スペース化を達成することができる。
【００１５】
上述したことから分かるように、本考案のハニカム状カプセルルームは、以下（１）〜（４）の長所を有する。
（１）幾何学的立体形状に形成するため、デッドスペースが発生せず、空間を有効に利用することができる。
（２）デッドスペースが発生しないため、材料を節約し、コストを削減することができる。
（３）互い違いに交互に積層する方式により全体の高さを低くすることにより、省スペース化を達成することができる。
（４）互い違いに交互に積層する方式により、全体の高さを低くすることができる上、カプセル室を使用するユーザー同士の動線が交錯しないようにする。これにより、移動するユーザー同士がぶつかることを防ぎ、使用する際の安全性を高めることができる。
【００１６】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  従来のカプセルホテル
２  ハニカム状カプセルルーム
３  デッドスペース
１１  カプセルルーム
１２  梯子
１３  進入用踏み板
２１  第１カプセルルーム
２２  第２カプセルルーム
２１１ 第１カプセル室
２２１ 第２カプセル室
２２２ 梯子
２２３ 手摺り
２２４ 進入用踏み板
【図１】
0003165250.tif 000003
【図２】
0003165250.tif 000004
【図３】
0003165250.tif 000005